(57)【特許請求の範囲】
【請求項１】
天板を備え、側板と前記天板とが上部稜線を介して連続して形成され、更に底板を備え、該底板に対して起立した側板とで構成され、前記底板と前記側板とが下部稜線を介して形成され、側板同士は側部稜線を介して形成された箱型収容体において、
長方形の前記底板から前記下部稜線を介して連続して向かい合う２組の側板が設けられ、前記下部稜線に、折曲線によって区画された折込部を備え、前記折込部が前記下部稜線を窪ませて形成され、
前記底板に連設する前記側板が側面補強部を連続して備え、該側面補強部が折り畳まれて前記側板の内側に配置され、前記側面補強部の下端に形成された折込補助辺が、前記折込部の形状の一部に追随することを特徴とする箱型収容体。
【請求項２】
前記天板は、開閉自在である請求項１に記載の箱型収容体。
【請求項３】
前記天板は、天板側板を備え、天板と天板側板の間に天板上部稜線を備え、天板側板同士は天板側部稜線を備えた請求項１に記載の箱型収容体。
【請求項４】
天板と上蓋側板とで上蓋部を構成するとともに、底板と収納部側板とで収容部を構成し、前記上蓋部で前記収容部を覆うようにして組み合わせる箱型収容体であって、
前記上蓋部の前記天板と上蓋側板とが前記上部稜線を介して連続して形成され、上蓋側板同士は上蓋側部稜線を介して連続的に形成され、収納部の底板と収納部側板とが下部稜線で連続的に形成され、収納部側板同士は収納部側部稜線を介して連続的に形成された箱型収容体において、
長方形の前記底板から前記下部稜線を介して連続して向かい合う２組の前記収納部側板が設けられ、前記下部稜線の内の少なくとも1つに折曲線によって区画された折込部を備え、前記折込部が前記下部稜線を窪ませて形成され、前記底板に連設する前記収納部側板が側面補強部を連続して備え、該側面補強部が折り畳まれて前記収納部側板の内側に配置され、前記側面補強部の下端に形成された折込補助辺が、前記折込部の形状の一部に追随し、
または、長方形の前記天板から前記上部稜線を介して連続して向かい合う２組の前記上蓋側板が設けられ、前記上部稜線の内の少なくとも1つに折曲線によって区画された折込部を備え、前記折込部が前記上部稜線を窪ませて形成され、前記天板に連設する前記上蓋側板が側面補強部を連続して備え、該側面補強部が折り畳まれて前記上蓋側板の内側に配置され、前記側面補強部の上端に形成された折込補助辺が、前記折込部の形状の一部に追随することを特徴とする箱型収容体。
【請求項５】
前記折込部について、前記下部稜線に沿って下部折込部として複数形成された請求項４記載の箱型収容体。
【請求項６】
前記折込部について、前記上部稜線に沿って上部折込部として複数形成された請求項４記載の箱型収容体。
【請求項７】
前記折込部について、折込部内に折り込みを容易にする折込補助線を設けることを特徴とする、請求項４記載の箱型収容体。
【請求項８】
底板と、該底板に対して起立した側板とで構成され、前記底板と前記側板とが下部稜線を介して形成され、側板同士は側部稜線を介して形成された箱型収容体において、長方形の前記底板から前記下部稜線を介して連続して向かい合う２組の側板が設けられ、前記下部稜線に、折曲線によって区画された折込部を備え、前記折込部が前記下部稜線を窪ませて形成され、
前記底板に連設する前記側板が側面補強部を連続して備え、該側面補強部が折り畳まれて前記側板の内側に配置され、前記側面補強部の下端に形成された折込補助辺が、前記折込部の形状の一部に追随することを特徴とする箱型収容体。
【発明の詳細な説明】
【技術分野】
【０００１】
本発明は、底板と、底板に対して起立した側板とで構成され、底板と側板とが下部稜線を介して形成され、この下部稜線に下部折曲線によって区画された下部折込部を備えた箱型収容体、或いは、側板と天板とが上部稜線を介して連続して形成され、該上部稜線に上部折曲線によって区画された上部折込部を備えた箱型収容体に関する。
【背景技術】
【０００２】
従来の開閉可能な箱型収容体（一例として紙箱）は、底板と、底板に対して起立した側板とで構成され、底板と側板とが下部稜線を介して形成され、側板内側に囲まれる収容部を構成し、その中に内容物を収容していた。同様に、側板と天板とが上部稜線を介して連続して形成され、側板と天板で上蓋部を構成して、前記収納部を覆う箱型収容体は周知である。
【発明の開示】
【発明が解決しようとする課題】
【０００３】
しかし、従来の紙箱では、下部稜線に手をかけて把持したときに、下部稜線が直線状であるため、十分に紙箱を把持できず、手が滑って紙箱を落としてしまう恐れがあるという問題があった。同様に側板と天板とが上部稜線を介して連続して形成され、側板と天板で上蓋部を構成して前記収納部を覆う箱型収容体においても、上部稜線が直線状であるため、十分に紙箱を把持できず、手が滑って紙箱を落としてしまう恐れがあるという問題があった。
そこでこの発明は、十分に把持できる箱型収容体を提供することにある。
【課題を解決するための手段】
【０００４】
請求項１から３のうち、請求項１の発明は、天板を備え、側板と前記天板とが上部稜線を介して連続して形成され、更に底板を備え、該底板に対して起立した側板とで構成され、前記底板と前記側板とが下部稜線を介して形成され、側板同士は側部稜線を介して形成された箱型収容体において、長方形の前記底板から前記下部稜線を介して連続して向かい合う２組の側板が設けられ、前記下部稜線に、折曲線によって区画された折込部を備え、前記折込部が前記下部稜線を窪ませて形成され、前記底板に連設する前記側板が側面補強部を連続して備え、該側面補強部が折り畳まれて前記側板の内側に配置され、前記側面補強部の下端に形成された折込補助辺が、前記折込部の形状の一部に追随する箱型収容体を提供する。
【０００５】
請求項２に記載の発明は、請求項１に記載の箱型収容体において、前記天板は、開閉自在にしたものである。
【０００６】
請求項３に記載の発明は、請求項１に記載の箱型収容体において、前記天板は、前記側板と前記天板間の上部稜線とは別に、天板に天板側板を備え、天板と天板側板の間に別途天板上部稜線を備え、又天板側板同士は天板側部稜線を備えたものである。
【０００７】
請求項４乃至７の発明のうち請求項４の発明は、請求項１とは関連する発明であるが、天板と前記上蓋側板とで上蓋部を構成するとともに、底板と収納部側板とで収容部を構成し、前記上蓋部で前記収容部を覆うようにして組み合わせる箱型収容体であって、前記上蓋部の前記天板と上蓋側板とが前記上部稜線を介して連続して形成され、上蓋側板同士は上蓋側部稜線を介して連続的に形成され、収納部の底板と収納部側板とが下部稜線で連続的に形成され、収納部側板同士は収納部側部稜線を介して連続的に形成された箱型収容体において、長方形の前記底板から前記下部稜線を介して連続して向かい合う２組の前記収納部側板が設けられ、前記下部稜線の内の少なくとも1つに折曲線によって区画された折込部を備え、前記折込部が前記下部稜線を窪ませて形成され、前記底板に連設する前記収納部側板が側面補強部を連続して備え、該側面補強部が折り畳まれて前記収納部側板の内側に配置され、前記側面補強部の下端に形成された折込補助辺が、前記折込部の形状の一部に追随し、または、長方形の前記天板から前記上部稜線を介して連続して向かい合う２組の前記上蓋側板が設けられ、前記上部稜線の内の少なくとも1つに折曲線によって区画された折込部を備え、前記折込部が前記上部稜線を窪ませて形成され、前記天板に連設する前記上蓋側板が側面補強部を連続して備え、該側面補強部が折り畳まれて前記上蓋側板の内側に配置され、前記側面補強部の上端に形成された折込補助辺が、前記折込部の形状の一部に追随するものを提供する。
【０００８】
請求項５に記載の発明は、請求項４記載の箱型収容体において、前記折込部について、前記下部稜線に沿って下部折込部として複数形成されたものである。
【０００９】
請求項６に記載の発明は、請求項４記載の箱型収容体において、前記折込部について、前記上部稜線に沿って上部折込部として複数形成されたものである。
【００１０】
請求項７に記載の発明は、請求項４記載の箱型収容体において、前記折込部について、折込部内に折り込みを容易にする折込補助線を設けたものである。
【００１１】
請求項８の記載の発明は、特に請求項４の収容部に関連して独立項としたものであり、底板と、該底板に対して起立した側板とで構成され、前記底板と前記側板とが下部稜線を介して形成され、側板同士は側部稜線を介して形成された箱型収容体において、長方形の前記底板から前記下部稜線を介して連続して向かい合う２組の側板が設けられ、前記下部稜線に、折曲線によって区画された折込部を備え、前記折込部が前記下部稜線を窪ませて形成され、
前記底板に連設する前記側板が側面補強部を連続して備え、該側面補強部が折り畳まれて前記側板の内側に配置され、前記側面補強部の下端に形成された折込補助辺が、前記折込部の形状の一部に追随するものを提供する。
【発明の効果】
【００１２】
請求項１乃至３記載の発明は、天板を備え、側板と前記天板とが上部稜線を介して連続して形成され、更に底板を備え、該底板に対して起立した側板とで構成され、前記底板と前記側板とが下部稜線を介して形成され、側板同士は側部稜線を介して形成された箱型収容体において、長方形の前記底板から前記下部稜線を介して連続して向かい合う２組の側板が設けられ、前記下部稜線に、折曲線によって区画された折込部を備え、前記折込部が前記下部稜線を窪ませて形成され、前記底板に連設する前記側板が側面補強部を連続して備え、該側面補強部が折り畳まれて前記側板の内側に配置され、前記側面補強部の下端に形成された折込補助辺が、前記折込部の形状の一部に追随して構成されているので、各稜線に手をかけるとき、各折込部に手の指がかかり、箱型収容体を手のひらで十分に把持することができる。
また、各折込部は各稜線を窪ませて形成されることで、箱型収容体の強度を大きくすることができ、内容物の荷重などによって箱型収容体が押し潰されたり変形したりする事が無く、箱型収容体を安全に段積みすることができる。
更に、各稜線に様々なデザインの各折込部を設けることで、箱型収容体のデザイン性を向上させることができる。
【００１３】
請求項２に記載の発明によれば、天板は、開閉自在にしたものであり、本発明は通常の箱形収容体に適用できる。
【００１４】
請求項３に記載の発明によれば、天板は、側板と天板間の上部稜線とは別に、天板に天板側板を備え、天板と天板側板の間に別途天板上部稜線を備え、又天板側板同士は天板側部稜線を備えたものであるので、天板に側板が付いたものの各稜線にも、折曲線によって区画された折込部を備え、前記折込部が前記稜線を窪ませて構成されているので、各稜線に手をかけるとき、各折込部に手の指がかかり、箱型収容体を手のひらで十分に把持することができる。
また、各折込部は各稜線を窪ませて形成されることで、箱型収容体の強度を大きくすることができ、内容物の荷重などによって箱型収容体が押し潰されたり変形したりする事が無く、箱型収容体を安全に段積みすることができる。
更に、各稜線に様々なデザインの各折込部を設けることで、箱型収容体のデザイン性を向上させることができる。
【００１５】
請求項４に記載の発明によれば、天板と前記上蓋側板とで上蓋部を構成するとともに、底板と収納部側板とで収容部を構成し、前記上蓋部で前記収容部を覆うようにして組み合わせる箱型収容体であって、前記上蓋部の前記天板と上蓋側板とが前記上部稜線を介して連続して形成され、上蓋側板同士は上蓋側部稜線を介して連続的に形成され、収納部の底板と収納部側板とが下部稜線で連続的に形成され、収納部側板同士は収納部側部稜線を介して連続的に形成された箱型収容体において、長方形の前記底板から前記下部稜線を介して連続して向かい合う２組の前記収納部側板が設けられ、前記下部稜線の内の少なくとも1つに折曲線によって区画された折込部を備え、前記折込部が前記下部稜線を窪ませて形成され、前記底板に連設する前記収納部側板が側面補強部を連続して備え、該側面補強部が折り畳まれて前記収納部側板の内側に配置され、前記側面補強部の下端に形成された折込補助辺が、前記折込部の形状の一部に追随し、または、長方形の前記天板から前記上部稜線を介して連続して向かい合う２組の前記上蓋側板が設けられ、前記上部稜線の内の少なくとも1つに折曲線によって区画された折込部を備え、前記折込部が前記上部稜線を窪ませて形成され、前記天板に連設する前記上蓋側板が側面補強部を連続して備え、該側面補強部が折り畳まれて前記上蓋側板の内側に配置され、前記側面補強部の上端に形成された折込補助辺が、前記折込部の形状の一部に追随するので、各稜線に手をかけるとき、各折込部に手の指がかかり、箱型収容体を手のひらで十分に把持することができる。
また、各折込部は各稜線を窪ませて形成されることで、箱型収容体の強度を大きくすることができ、内容物の荷重などによって箱型収容体が押し潰されたり変形したりする事が無く、箱型収容体を安全に段積みすることができる。
更に、各稜線に様々なデザインの各折込部を設けることで、箱型収容体のデザイン性を向上させることができる。
【００１６】
請求項５に記載の発明によれば、前記折込部について、前記下部稜線に沿って下部折込部として複数形成されたものであるので、下部稜線に手をかけるとき、下部折込部が複数形成されているので、手の指のかかる範囲が広くなり、箱型収容体を手のひらで十分に把持することができる。
【００１７】
請求項６に記載の発明によれば、折込部について、上部稜線に沿って上部折込部として複数形成されたものであるので、上部稜線に手をかけるとき、上部折込部が複数形成されているので、上部に手の指のかかる範囲が広くなり、箱型収容体を手のひらで十分に把持することができる。
【００１８】
請求項７に記載の発明によれば、折込部について、折込部内に折り込みを容易にする折込補助線を設けたものであるので、折込部を容易に折り込んで製作でき、又、折り込み補助線部分が窪んでいるので、手の指を掛けやすく、箱型収容体を手のひらで十分に把持することができる。
【００１９】
請求項８の記載の発明によれば、底板と、該底板に対して起立した側板とで構成され、前記底板と前記側板とが下部稜線を介して形成され、側板同士は側部稜線を介して形成された箱型収容体において、長方形の前記底板から前記下部稜線を介して連続して向かい合う２組の側板が設けられ、前記下部稜線に、折曲線によって区画された折込部を備え、前記折込部が前記下部稜線を窪ませて形成され、前記底板に連設する前記側板が側面補強部を連続して備え、該側面補強部が折り畳まれて前記側板の内側に配置され、前記側面補強部の下端に形成された折込補助辺が、前記折込部の形状の一部に追随するので、各稜線に手をかけるとき、各折込部に手の指がかかり、箱型収容体を手のひらで十分に把持することができる。
また、各折込部は各稜線を窪ませて形成されることで、箱型収容体の強度を大きくすることができ、内容物の荷重などによって箱型収容体が押し潰されたり変形したりする事が無く、箱型収容体を安全に段積みすることができる。
更に、各稜線に様々なデザインの各折込部を設けることで、箱型収容体のデザイン性を向上させることができる。
【発明を実施するための最良の形態】
【００２０】
図１は、本発明の箱型収容体の一例としての紙箱（箱型収容体）１の斜視図である。
紙箱１は、上蓋部２及び収容部３から構成され、上蓋部２が収容部３を覆うようにして組み合わせる。
【００２１】
上蓋部２は、天板４、２組の側板５Ａ、５Ｂ、上部折込部６、及び上部稜線８Ａ、８Ｂなどから構成される。
天板４は、上蓋部２を形成したときの最上にある長方形の面を示し、側板５Ａ、５Ｂは、天板４の４辺に上部稜線８Ａ、８Ｂを介してそれぞれ天板４に対して下方に垂直に連結されている。
【００２２】
また、上部折込部６は、菱形を形成する４本の上部折曲線７及び折込補助線９から構成される。
上部折込部６は、上蓋部２を手の指又は手のひらで容易に把持するための窪みであり、上部折曲線７は、上部折込部６を区画するための罫線である。折込補助線９は、上蓋部２を形成するときに上部折込部６が容易に窪みを形成するように補助するためのものであり、菱形の上部折曲線７の鈍角同士を２等分するように形成される。従って、折込補助線９を底辺とし、二本の上部折曲線７を斜辺とする二等辺三角形になっている。
又、前記罫線は、ミシン目でもハーフカットでも、リード罫でもよく、要するに、上部折曲線を形成できれば良い。
【００２３】
収容部３は、底板１０、側板（別の側板）１１Ａ、１１Ｂ、下部折込部１２、及び下部稜線１４Ａ、１４Ｂなどから構成される。
底板１０は、収容部３を形成したときの最下にある長方形の面を示し、側板１１Ａ、１１Ｂは、底板１０の４辺に下部稜線１４Ａ、１４Ｂを介して、それぞれ底板１０に対して上方に垂直に連結されている。
【００２４】
また、下部折込部１２は、菱形を形成する４本の下部折曲線１３及び折込補助線９から構成される。
下部折込部１２は、収容部３を手で容易に把持するための窪みであり、下部折曲線１３は、下部折込部１２を区画するための罫線である。折込補助線９は、収容部３を形成するときに下部折込部１２が容易に窪みを形成するように補助するためのものであり、菱形の下部折曲線１３の鈍角同士を２等分するように形成される。
従って、折込補助線９を底辺とし、二本の下部折曲線１３を斜辺とする二等辺三角形になっている。
又、前記罫線は、ミシン目でもハーフカットでも、リード罫でもよく、要するに、上部折曲線を形成できれば良い。
【００２５】
上蓋部２を形成するための展開図を図２に示す。
上蓋部２は、長方形に形成された天板４、側板５Ａ、５Ｂ、側面補強部１５Ａ，１５Ｂ、折返部１７、折込片１８、フラップ１９、２０などから構成される。
側板５Ａは、天板４の１組の短辺に連続して設けられ、側板５Ｂは、天板４の１組の長辺に連続して設けられる。なお、側板５Ａ、５Ｂは、それぞれ上部稜線８Ａ、８Ｂを介して天板４と連続して設けられている。側板５Ａには、罫線２３Ａを介して側面補強部１５Ａを連続して設ける。側面補強部１５Ａの罫線２３Ａと対向する位置には、後述するように上部折込部６を形成する際の補助的役割を果たすよう上部折込部６の形状の一部に追随する折込補助辺２４が設けられている。
また、側面補強部１５Ａの両短辺には、フラップ１９をそれぞれ設ける。
側板５Ｂには、罫線２３Ｂを介して側面補強部１５Ｂを連続して設ける。また、側面補強部１５Ｂの罫線２３Ｂと対向する側には、ミシン目の罫線２２を介して折返部１７を設ける。側面補強部１５Ｂの両短辺には、フラップ２０をそれぞれ設ける。
側板５Ａ、５Ｂのそれぞれ隣り合う短辺には、これらを連結するように折込片１８を設ける。折込片１８には、ミシン目の罫線２６が設けられている。
【００２６】
なお、上部稜線８Ａ、８Ｂ上には、等間隔で菱形の上部折込部６を設ける。この例では、上部稜線８Ａ上に上部折込部６を３か所、上部稜線８Ｂ上に上部折込部６を４か所ずつ設ける。また、上部折込部６は菱形の上部折曲線７で形成され、菱形の１対の鈍角を２等分するように折込補助線９を形成する。
又、折込片１８の罫線２５上に縦を上蓋側部稜線とし、この線状に、側部折込部を設けても良い。側部折込部の構造は、上部折込部６の構造と同様である。
【００２７】
収容部３を形成するための展開図を図３に示す。
収容部３は、長方形に形成された底板１０、側板１１Ａ，１１Ｂ、側面補強部２７Ａ、２７Ｂ、折返部２８、折込片２９、フラップ３０，４０などから構成される。
側板１１Ａは、底板１０の１組の短辺に連続して設けられ、側板１１Ｂは、底板１０の１組の長辺に連続して設けられる。なお、側板１１Ａ、１１Ｂは、それぞれ下部稜線１４Ａ、１４Ｂを介して底板１０と連続して設けられている。側板１１Ａには、罫線５３Ａを介して側面補強部２７Ａを連続して設ける。側面補強部２７Ａの罫線５３Ａと対向する位置には、後述するように下部折込部１２を形成する際の補助的役割を果たすよう下部折込部１２の形状の一部に追随する折込補助辺５５が設けられている。
また、側面補強部２７Ａの両短辺には、フラップ３０をそれぞれ設ける。
側板１１Ｂには、罫線５３Ｂを介して側面補強部２７Ｂを連続して設ける。また、側面補強部２７Ｂの罫線５３Ｂと対向する側には、ミシン目の罫線５４を介して折返部２８を設ける。側面補強部２７Ｂの両短辺には、フラップ４０をそれぞれ設ける。
側板１１Ａ、１１Ｂのそれぞれ隣り合う短辺にはこれらを連結するように折込片２９を設ける。折込片２９には、ミシン目の罫線５７が設けられている。
【００２８】
なお、下部稜線１４Ａ、１４Ｂ上には、等間隔で下部折込部１２を設ける。この例では、下部稜線１４Ａ上に下部折込部１２を３か所、下部稜線１４Ｂ上に下部折込部１２を４か所ずつ設ける。また、下部折込部１２は菱形の下部折込線１３で形成され、菱形の１対の鈍角を２等分するように折込補助線９を形成する。
又、折込片２９の罫線５６上に縦を収納部側部稜線とし、この線状に、側部折込部を設けても良い。側部折込部の構造は、上部折込部６、下部折込部１２の構造と同様である。
【００２９】
又以上図２、図３の実施例では、上部折曲線７、下部折曲線１３、折込補助線９、上部稜線８Ａ、８Ｂ、下部稜線１４Ａ、１４Ｂ、罫線２３Ａ、２３Ｂ、２５、５３Ａ、５３Ｂは、型押し機によって罫線を形成し、罫線２２、２６、５４、５７はミシン目とするが、これに限定されるものではない。
又、前記罫線は、ミシン目でもハーフカットでも、リード罫でもよく、要するに、上部折曲線を形成できれば良い。
そして、上部稜線８Ａ、８Ｂ、下部稜線１４Ａ、１４Ｂ、罫線２３Ａ、２３Ｂ、罫線５３Ａ、５３Ｂを適宜折り曲げて上蓋部２や、収容部３を形成する。
【００３０】
図４（ａ）〜（ｃ）では、上部折込部６が形成される方法が図示されている。すなわち天板４に対して側板５Ｂがフラットな状態［図４（ａ）］から側板５Ｂを上部稜線８Ｂにて折り曲げ始めると［図４（ｂ）］、上部稜線８Ｂの形成されている部分は上部稜線８Ｂに従って山折りとなり、上部稜線８Ｂの形成されていない部分は上部折曲線７に従って山折りとなって稜線が形成される。そして、折り曲げが進行すると［図４（ｃ）］、折込補助線９が谷折りとなって中央部分が窪んだ上部折込部６が形成される。
上部折込部６は、上蓋部２の他の部分においても同様に形成される。又収容部３についても、下部折込部１２を形成する方法は同様の方法による。側部折込部も同様である。
【００３１】
図５（ａ）は他の実施例であり、紙箱が、天板４を備え、側板１１Ｂと天板４とが上部稜線８Ｂを介して連続して形成され、上部稜線８Ｂに、上部折曲線７によって区画された上部折込部６を備えるようにしてもよい。このとき、側板１１Ａ、１１Ｂと底板１０とが下部稜線１４Ａ、１４Ｂを介して連続して形成され、下部稜線１４Ａ、１４Ｂに、下部折曲線１３によって区画された下部折込部１２を備えて、天板４を開閉可能な構造に形成する。
なお、側板１１Ａと側板１１Ｂの間は、縦に側部稜線１１Ｃを設けられているが、側部稜線１１Ｃに側部折込部１１Ｄを縦に設けても良い。
図５（ｂ）は、天板４に天板側板４Ａを設け、天板４と天板側板４Ａとの間に天板上部稜線４Ｂとし、天板側板４Ａと天板側板４Ａ間を天板側部稜線４Ｃとして、天板上部稜線４Ｂと天板側部稜線４Ｃのそれぞれについて、天板上部折込部４Ｄと天板側部折込部４Ｅを設けても良い。天板上部折込部４Ｄと天板側部折込部４Ｅの構造は、上部折込部６や下部折込部１２と同様である。
【００３２】
図６は、上部折込部６や下部折込部１２について別の実施例を示すものである。
前記上部折込部６や下部折込部１２は、菱形状のものであったが、上蓋部２の上部折込部６及び収容部３の下部折込部１２は、六角形の折込部３１を形成するもので、稜線３２、折曲線３３、及び複数の折込補助線３４を構成するもの［図６（ａ）］や、楕円の折込部４１を形成し、稜線４２、折曲線４３、及び折込補助線４４を構成するもの［図６（ｂ）］などであってもよい。
従って、様々なデザインをもつ折込部を設けることで、デザイン性に富んだ上蓋部２及び収容体３を構成することができる。
【００３３】
図７（ａ）は、図１の収容部３の折込補助線９を含むＡ−Ａ線矢視断面図、図７（ｂ）は、図１の下部稜線１４Ａを含むＢ−Ｂ線矢視断面図を示したものである。紙箱１に形成したとき図７（ａ）では、側板１１Ａを罫線５３Ａを介して山折りに折り曲げられることで、折込補助辺５５が、折込補助線９の一端に接触し、図７（ｂ）では、側板１１Ａが、罫線５３Ａを介して山折りに折り曲げられることで、折込補助辺５５が、底板１０に接触する。図７（ｃ）は、この状態を側板１１Ａ及び、罫線５３Ａを介して山折りに折り曲げられた側面補強部２７Ａの状態を図示した斜視模式図である。
従って、側板１１Ａが罫線５３Ａを介して折り曲げられることで折込補助辺５５が、側板１１Ａを補強し、側面の強度を大きくすることができる。また、この紙箱１を段積みした場合でも、内容物の荷重により押しつぶされない強度を保つことができる。
又折込補助辺５５は、図７（ｃ）に示すように、直線ではなく山型状に形成され、下部折込部１２と干渉しないように形成されているので、下部折込部１２の機能を損なわず、しかも折込補助辺５５が、底板１０に接触することで、下部折込部１２の補強にも寄与している。
【００３４】
図８（ａ）〜（ｄ）は、図７（ａ）〜（ｃ）とは別の実施例を示したものである。図８（ａ）は、側部１１Ａと側面補強部２７Ａとが罫線５３Ａを介して重なり、罫線５３Ａとは異なる側面補強部２７Ａの他端である折曲線２１ａが、折込補助線９に接触せず、折曲線２１ａを介して折返部２８が形成され、折返部２８の他端が底板１０に接触し、折曲線２１ａが折込補助線９より上方に位置していることを示している。図８（ｂ）は、側部１１Ａと側面補強部２７Ａとが重ならず、罫線５３Ａとは異なる側面補強部２７Ａの他端である折曲線２１ａが、折込補助線９の中間に接触し、折曲線２１ａを介して折返部２８が形成され、折返部２８の他端が底板１０に接触しているものである。図８（ｃ）は、罫線５３Ａとは異なる側面補強部２７Ａの他端である折曲線２１ａから連続して連結面１６を設け、この連結面１６から更に折曲線２１ｂを介して折返部２８が形成されたものである。この連結面１６は折込補助線９より上方に設けており、折返部２８が底板１０に接触している。図８（ｄ）は、側部１１Ａと側面補強部２７Ａとが重ならず、罫線５３Ａから連設された側面補強部２７Ａの他端である折曲線２１ａが、折込補助線９の中間に接触し、折曲線２１ａを介して連結面１６を設け、この連結面１６の他端に折曲線２１ｂを介して折返部２８が形成され、折返部２８が底板１０に接触している。
以上の実施例の内、図８（ｂ）及び（ｄ）は、下部折込部１２の折込補助線９の中間に折曲線２１ａを押接したので、下部折込部１２の中折れ防止に効果が有る。又図８（ａ）及び（ｃ）についても、下部折込部１２には接していないが、この部分の補強効果が有る。
【００３５】
なお、上蓋部２及び収容部３については、図９に示すように天板４と側板５Ａ、５Ｂの間に上部稜線８Ａ、８Ｂを設けずに、上部折込部６を連続的に設けても良い。
【００３６】
なお、上述の例では、箱型収容体の一例としてお菓子などの紙箱について説明したが、この発明はこれに限定されるものではなく、紙箱を構成する紙は、樹脂等をコーティングしたり、フィルム等を貼り合わせたりする多層フィルム等に適用してもよい。
又紙箱に限定されず、例えばプラスチックシート（単層・多層）やそれにホログラム等の各種表面加工を施したものでも良い。また紙箱とプラスチックの複合容器にも応用可能である。
箱型収納体は、上蓋部及び収容部を一体化した容器に適用してもよいし、以上の実施例では、上部稜線８Ａ、８Ｂ、下部稜線１４Ａ、１４Ｂに施した上部折込部６や下部折込部１２について説明したが、罫線２５の側部稜線にも側部折込部を設ければ、箱型収納体を手で持つときに、側部稜線の角が立たず、持ち易い。特に縦長の箱型収納体には有効である。
従って、折込部は、上部折込部、下部折り込み部に限定されず、側部折込部を形成しても良い。
以上詳述したように、この発明の箱型収容体（一例として紙箱）１は、天板４を備え、側板１１Ａ、１１Ｂと天板４とが上部稜線８Ｂを介して連続して形成され、上部稜線８Ｂに、上部折曲線７によって区画された上部折込部６を備える。この場合、側部稜線、下部稜線にそれぞれ側部折込部１１Ｄ及び下部折込部１２を設ける。
更に天板に天板側板を設け、天板上部稜線、天板側部稜線に折込部を設けても良い。
又、天板４と側板５Ａ、５Ｂとで上蓋部２を構成するとともに、底板１０と側板１１Ａ、１１Ｂとで収容部３を構成し、上蓋部２で収容部３を覆うようにして組み合わせる箱型収容体（一例として紙箱）１であって、上蓋部２の天板４と側板５Ａとが上部稜線８Ａを、上蓋部２の天板４と側板５Ｂとが上部稜線８Ｂをそれぞれ介して連続して形成され、上部稜線８Ａ、８Ｂに、上部折曲線７によって区画された上部折込部６を備えるとともに、収容部３の側板１１Ａと底板１０とが下部稜線１４Ａを、収容部３の側板１１Ｂと底板１０とが下部稜線１４Ｂを介して連続して形成され、下部稜線１４Ａ、１４Ｂに、下部折曲線１３によって区画された下部折込部１２を備える。この場合、上蓋側部稜線、或いは収納部側部稜線にそれぞれ折込部を設けても良い。
なお、前記収納部に相当する底板１０と、底板１０に対して起立した側板１１Ａ、１１Ｂとで構成され、底板１０と側板１１Ａとが下部稜線１４Ａを、また、底板１０と側板１１Ｂとが下部稜線１４Ｂを介してそれぞれ形成され、下部稜線１４Ａ、１４Ｂに、下部折曲線１３によって区画された下部折込部１２を備え、下部折曲線１３が底板１０及び側板１１Ａ、１１Ｂにわたって形成されるとともに、下部折込部１２が下部稜線１４Ａ、１４Ｂを窪ませて形成される。この場合上部折込部、側部折込部を別途設けても良い。
【００３７】
以上のように、稜線については、上部稜線、側部稜線、下部稜線或いは、天板側板を設けた場合に、天板上部稜線、天板側部稜線を設け、又上蓋部及び収納部の組み合わせの場合に、上蓋側部稜線、或いは収納部側部稜線を設ける。
また、それぞれの稜線の場所に各折込部を設けることが出来る。折込部は、上部折込部、下部折込部、側部折込部、天板上部折込部、天板側部折込部等である。
【図面の簡単な説明】
【００３８】
【図１】本発明の紙箱を構成する上蓋部及び収容部の説明斜視図である。
【図２】図１の紙箱を構成する上蓋部の展開図である。
【図３】図１の紙箱を構成する収容部の展開図である。
【図４】図１の紙箱を構成する上蓋部の折込部の折曲状態を示す説明図であり、（ａ）は、折り込む前の折込部の状態、（ｂ）は、折り曲げ途中の折込部の状態、（ｃ）は、箱型に折り曲げたときの折込部の状態である。
【図５】（ａ）は本発明の紙箱を構成する別の例の斜視図である。（ｂ）は（ａ）に天板側板を設けた別の実施例の斜視図である。
【図６】図１の折込部を構成する別の実施例を示した状態図であり、（ａ）は、折込部が六角形の状態図、（ｂ）は、楕円形の状態図である。
【図７】図１の紙箱を構成する収容部の断面図であり、（ａ）は、Ａ−Ａ線矢視断面図、（ｂ）は、Ｂ−Ｂ線矢視断面図である。（ｃ）は、側板１１Ａ及び、罫線５３Ａを介して山折りに折り曲げられた側面補強部２７Ａの状態を図示した斜視模式図である。
【図８】図１の紙箱を構成する収容部のＡ矢視断面図の別の実施例であり、（ａ）は、折曲点が１つで、折曲点が折込補助線に非接触で、かつ側面補強部と折返部とで構成した説明図、（ｂ）は、折曲点が１つで、折曲点が折込補助線の中間に接触し、かつ側面補強部と折返部とで構成した説明図、（ｃ）は、折曲点が２つで、折曲点が折込補助線に非接触、かつ側面補強部と連結面及び折返部を構成した説明図、（ｄ）は、折曲点が２つで、折曲点が折込補助線の中間に接触し、かつ側面補強部と連結面及び折返部を構成した説明図である。
【図９】図１の紙箱を構成する上蓋部の別の例の展開図である。
【符号の説明】
【００３９】
１    紙箱（箱型収容体）
２    上蓋部
３    収容部
４    天板
４Ａ  天板側板
４Ｂ  天板上部稜線
４Ｃ  天板側部稜線
４Ｄ  天板上部折込部
４Ｅ  天板側部折込部
５Ａ、５Ｂ    側板
６    上部折込部
７    上部折曲線
８Ａ、８Ｂ    上部稜線
９    折込補助線
１０    底板
１１Ａ、１１Ｂ    側板（別の側板）
１１Ｃ  側部稜線
１１Ｄ  側部折込部
１２    下部折込部
１３    下部折曲線
１４Ａ、１４Ｂ    下部稜線
１５Ａ、１５Ｂ、２７Ａ、２７Ｂ    側面補強部
１６    連結面
１７、２８    折返部
１８、２９    折込片
１９、２０、３０，４０    フラップ
２１ａ、２１ｂ    折曲線
２２、２３Ａ、２３Ｂ、２５、２６、５３Ａ、５３Ｂ、５４、５６、５７    罫線
２４、２４’、５５    折込補助辺
３１、４１    折込部
３２、４２    稜線
３３、４３    折曲線
３４、４４    折込補助線
【図１】
0004735093.tif 000002
【図２】
0004735093.tif 000003
【図３】
0004735093.tif 000004
【図４】
0004735093.tif 000005
【図５】
0004735093.tif 000006
【図６】
0004735093.tif 000007
【図７】
0004735093.tif 000008
【図８】
0004735093.tif 000009
【図９】
0004735093.tif 000010